(57)【要約】【課題】  ボビンの他の側面空間を確保し、フォーカスコイルとチルトコイルとを共用可能にした光ピックアップアクチュエータ駆動方法を提供する。【解決手段】  ベース上に支持部材により移動可能にボビンを配置する段階と、前記ボビンをフォーカス方向とチルト方向とに駆動するための少なくとも一つのチルト兼用フォーカスコイルと、トラック方向に駆動するための少なくとも一つのトラックコイルとを前記ボビンの両側面に、前記チルト兼用フォーカスコイルとトラックコイルとを互いに重畳しないように配置し、前記チルト兼用フォーカスコイル及びトラックコイルと対向して設けられた磁石を具備する段階と、前記少なくとも一つのチルト兼用フォーカスコイルを少なくとも二セットのコイルに分けて各セットごとに入力信号を印加する段階とを含むことを特徴とする。【選択図】  図４
2005285330.tif 000002
【特許請求の範囲】
【請求項１】
ベース上に支持部材により移動可能にボビンを配置する段階と、前記ボビンをフォーカス方向とチルト方向とに駆動するための少なくとも一つのチルト兼用フォーカスコイルと、トラック方向に駆動するための少なくとも一つのトラックコイルとを前記ボビンの両側面に、前記チルト兼用フォーカスコイルとトラックコイルとを互いに重畳しないように配置し、前記チルト兼用フォーカスコイル及びトラックコイルと対向して設けられた磁石を具備する段階と、前記少なくとも一つのチルト兼用フォーカスコイルを少なくとも二セットのコイルに分けて各セットごとに入力信号を印加する段階とを含み、
前記入力信号を印加する段階で、前記ボビンの一側面に第１及び第３チルト兼用フォーカスコイルを、前記一側面に対向する他側面に第２及び第４チルト兼用フォーカスコイルを各々配置し、前記第１ないし第４チルト兼用フォーカスコイルのうち２本ずつ対をなす第１セットコイル及び第２セットコイルに各々第１及び第２入力信号を入力し、
前記第１セットコイルは第１及び第２チルト兼用フォーカスコイルよりなり、前記第２セットコイルは第３及び第４チルト兼用フォーカスコイルよりなり、
前記第１入力信号及び第２入力信号として各々フォーカス用信号に相異なる位相のチルト信号を合せた信号を入力し、
前記磁石は、４分極の面分極磁石であり、
前記磁石は、上部領域にある第１分極と第２分極、下部領域にある第３分極と第４分極を持つ４分極の面分極磁石であり、前記トラックコイルは、前記第１及び第２分極に対向して配置され、前記チルト兼用フォーカスコイルは、１対が備えられて第１分極及び第４分極に対向して配置され、第２分極及び第３分極に対向して配置されたことを特徴とする光ピックアップアクチュエータ駆動方法。
【請求項２】
前記第１分極及び第２分極は、第３分極及び第４分極より広い面積を持つことを特徴とする請求項１に記載の光ピックアップアクチュエータ駆動方法。
【請求項３】
ベース上に支持部材により遊動可能にボビンを配置する段階と、
前記ボビンをフォーカス方向及びチルト方向に駆動するための複数チルト兼用フォーカスコイルと、トラック方向に駆動するための少なくとも少なくとも一つのトラックコイルとを前記ボビンの両側面に配置し、第１分極、第２分極、前記第１分極及び第２分極より狭い面積を持つ第３分極及び第４分極を持つ４分極磁石を具備し、前記トラックコイルは前記第１及び第２分極に対向して配置し、前記チルト兼用フォーカスコイルは、１対を具備して各々第１分極と第４分極、第２分極と第３分極とにかけて対向して配置する段階と、
前記複数個のチルト兼用フォーカスコイルを少なくとも２セットのコイルに分けて、各セットのコイルに第１入力信号及び第２入力信号を印加する段階と、を含むことを特徴とする光ピックアップアクチュエータ駆動方法。
【請求項４】
前記チルト兼用フォーカスコイルが、前記トラックコイルと互いに重畳しないように配置されることを特徴とする請求項３に記載の光ピックアップアクチュエータ駆動方法。
【請求項５】
前記第１入力信号と第２入力信号として、位相の相異なる入力信号を入力することを特徴とする請求項３または４に記載の光ピックアップアクチュエータ駆動方法。
【請求項６】
前記第１入力信号と第２入力信号として、各々フォーカス用信号に、位相の相異なるチルト信号を合わせた信号を入力することを特徴とする請求項３または４に記載の光ピックアップアクチュエータ駆動方法。
【発明の詳細な説明】
【技術分野】
【０００１】
本発明は光ピックアップアクチュエータ駆動方法に係り、特に対物レンズのフォーカス方向、トラック方向及びチルト方向駆動のためのフォーカスコイル、トラックコイル及びチルトコイルをボビンの両側面に具備してボビンの残りの側面空間を確保し、フォーカスコイルとチルトコイルとを共用可能にした光ピックアップアクチュエータ駆動方法に関する。
【背景技術】
【０００２】
一般に光ピックアップは、光記録／再生装置に採用されて記録媒体の光ディスクの半径方向に移動しつつ非接触式にターンテーブルに搭載された光ディスクに対して情報の記録及び／または再生を行う装置である。
この光ピックアップは光源から出射された光を集束して光ディスクに光スポットを形成する対物レンズと、この対物レンズにより形成された光スポットが光ディスクの正確な位置に置かれるように前記対物レンズをトラック方向、フォーカス方向及びチルト方向に制御するアクチュエータとを含む。
【０００３】
光ピックアップアクチュエータには基本的にトラック方向とフォーカス方向駆動のための２軸駆動アクチュエータがある。ところが、近来には高密度記録のために対物レンズの開口数が増加し、レーザーの波長が短くなるにつれて光ピックアップアクチュエータのチルトマージンが減少するために、これを補償するために既存の２軸駆動以外にチルト方向駆動までできる３軸駆動または４軸駆動アクチュエータが要求される。３軸駆動はフォーカス方向、トラック方向及びチルトラジアル方向駆動を意味し、４軸駆動はフォーカス方向、トラック方向、チルトラジアル方向及びチルトタンジェンシャル駆動を意味する。図１を参照すれば、フォーカス方向がＬ−Ｌ’、トラック方向がＭ−Ｍ’、チルトラジアル方向がＮ、チルトタンジェンシャル方向がＯで各々表示されている。
【０００４】
図１を参照すれば、従来の光ピックアップ用アクチュエータはベース１００と、このベース１００に固定されたホルダ１０３と、対物レンズ１０５が搭載されたボビン１０７と、前記ボビン１０７から前記ホルダ１０３まで連結されたワイヤ１０９と、前記ボビン１０７をトラック方向、フォーカス方向またはチルト方向に動かす磁気駆動部とを具備する。
【０００５】
前記磁気駆動部は前記ボビン１０７の対向する側面１０７ａに各々一対ずつ設けられたフォーカスコイル１１０とチルトコイル１１２（図２参照）、前記フォーカスコイル１１０とチルトコイル１１２が配置されていない他側面１０７ｂに配置されたトラックコイル１１５及び前記フォーカスコイル１１０、チルトコイル１１２及びトラックコイル１１５に対向して所定間隔をおいて前記ベース１００上に設けられた第１磁石１１７及び第２磁石１１９を含む。また、前記ベース１００に設けられて前記第１磁石１１７及び第２磁石１１９を各々固定する外側ヨーク１１８、１２０と、前記第１磁石１１７に対向する位置の前記ベース１００に設けられて前記ボビン１０７をガイドする内側ヨーク１２２とがさらに備わる。前記外側ヨーク１１８、１２０と内側ヨーク１２２とは前記第１及び第２磁石１１７、１１９による磁石を所望の方向に向かわせるためのものである。
【０００６】
一方、前記ワイヤ１０９は一端が前記ボビン１０７の両側面にハンダ付けされ、他端が前記ホルダ１０３に連結されて磁気駆動部に電流を印加する回路部に電気的に接続される。
【０００７】
図２は、前記フォーカスコイル１１０及びチルトコイル１１２とこれに対応する第１磁石１１７との相互作用による力関係を調べるために磁石の極性と電流方向とを例として概略的に示したものである。ここで、前記ボビン１０７の４側面のうち２側面１０７ａに備わった前記フォーカスコイル１１０はフレミングの左手法則により力Ｆｆを受けてボビン１０７がフォーカス方向Ｌに運動する。電流Ｉの方向が反対になればフォーカスコイル１１０は反対方向Ｌ’に力を受ける。
【０００８】
一方、前記チルトコイル１１２は前記ボビン１０７の２側面１０７ａに前記フォーカスコイル１１０と共に一対が備わって前記第１磁石１１７と相互作用をする。この時、両側チルトコイル１１２に各々大きさが同一で方向が反対の電流を印加すれば両側チルトコイルが受ける力Ｆｔｉが互いに反対になるのでチルト方向、特にラジアルチルト方向Ｎ駆動になる。
【０００９】
また、図３は、前記トラックコイル１１５とこれに対応する第２磁石１１９との相互作用による力関係を調べるために磁石の極性と電流方向を例として概略的に示したものである。磁石とコイルとの力の方向と大きさはフレミングの左手法則により決定される。したがって、前記ボビン１０７の４側面のうち前記フォーカスコイル１１０及びチルトコイル１１２が配置されていない他の二側面１０７ｂに備わったトラックコイル１１５が第２磁石１１９によりトラック方向の力Ｆｔを受けてボビン１０７がトラック方向Ｍに運動する。ここで、電流Ｉの方向が反対になればトラックコイル１１５は反対方向Ｍ’に力を受ける。
【００１０】
前記のようにフォーカス方向、トラック方向及びチルト方向駆動のためには通常的にアクチュエータのワイヤ１０９が６本よりなる。さらに、４軸駆動アクチュエータの場合にはさらに多くのワイヤが要求される。ところが、光ピックアップ用アクチュエータは非常に小型であるために、従来のようにフォーカスコイル、トラックコイルまたはチルトコイルを設けるために前記ボビン１０７の４側面を全部使用すれば前記ワイヤ１０９を設置する時に空間的制約を受ける。それだけでなく、ワイヤ数が多くなれば狭い空間でワイヤを付着する工程が非常に難しくなり、これにより不良率が増加する。
【００１１】
また、前記ボビン１０７の４側面を全部使用してコイルを配置すればコイル間配線が複雑になり、磁石もフォーカスコイル及びチルトコイルとトラックコイルに対して各々備わるので部品数の増加によって生産性が低下する問題点がある。さらに、前記ボビン１０７の左右に配置されたフォーカスコイル用第１磁石１１７の影響によりディスク回転のためのスピンドルモータ（図示せず）との干渉が発生してスピンドルモータの正確な制御に悪影響を与えうる。
【発明の開示】
【発明が解決しようとする課題】
【００１２】
本発明は前記問題点を解決するために案出されたものであって、対物レンズのフォーカス方向、トラック方向及びチルト方向駆動のためのチルト兼用フォーカスコイル及びトラックコイルをボビンの両側面に配置することによってボビンの他の両側面に余裕空間を確保でき、フォーカス方向とチルト方向駆動を一つのコイルで制御できる光ピックアップアクチュエータ駆動方法を提供することに目的がある。
【課題を解決するための手段】
【００１３】
前記目的を達成するために本発明による光ピックアップアクチュエータ駆動方法は、ベース上に支持部材により移動可能にボビンを配置する段階と、前記ボビンをフォーカス方向とチルト方向とに駆動するための少なくとも一つのチルト兼用フォーカスコイルと、トラック方向に駆動するための少なくとも一つのトラックコイルとを前記ボビンの両側面に配置し、前記チルト兼用フォーカスコイル及びトラックコイルと対向して設けられた磁石を具備する段階と、前記少なくとも一つのチルト兼用フォーカスコイルを少なくとも二セットのコイルに分けて各セットごとに入力信号を印加する段階とを含むことを特徴とする。
【００１４】
また、前記入力信号を印加する段階で、前記ボビンの一側面に第１及び第３チルト兼用フォーカスコイルを、前記一側面に対向する他側面に第２及び第４チルト兼用フォーカスコイルを各々配置し、前記第１ないし第４チルト兼用フォーカスコイルのうち２本ずつ対をなす第１セットコイル及び第２セットコイルに各々第１及び第２入力信号を入力することを特徴とする。
【００１５】
また、前記第１セットコイルは第１及び第３チルト兼用フォーカスコイルよりなり、前記第２セットコイルは第２及び第４チルト兼用フォーカスコイルよりなることを特徴とする。
また、前記第１セットコイルは第１及び第２チルト兼用フォーカスコイルよりなり、前記第２セットコイルは第３及び第４チルト兼用フォーカスコイルよりなることを特徴とする。
また、前記第１入力信号及び第２入力信号として相等しいフォーカス用入力信号を入力することを特徴とする。
また、前記第１入力信号及び第２入力信号として相異なる位相の入力信号を入力することを特徴とする。
また、前記第１入力信号及び第２入力信号として各々フォーカス用信号に相異なる位相のチルト信号を合せた信号を入力することを特徴とする。
また、前記磁石は、４分極の面分極磁石であることを特徴とする。
また、前記磁石は、少なくとも２個の２分極の面分極磁石よりなることを特徴とする。
また、前記トラックコイルは前記チルト兼用フォーカスコイルと独立的に入力信号が入力されることを特徴とする。
また、前記チルト兼用フォーカスコイル及びトラックコイルのうち少なくともいずれか一つが微細パターンコイルよりなることを特徴とする。
また、前記支持部材が、前記ボビンの側面のうちチルト兼用フォーカスコイル及びトラックコイルが配置された側面と異なる両側面に配置されたことを特徴とする。
【発明の効果】
【００１６】
前述したように、本発明による光ピックアップアクチュエータ駆動方法は、ボビンの両側面にチルト兼用フォーカスコイル及びトラックコイルを具備して、コイルが備わっていないボビンの他の両側面に自由空間を確保し、一つのコイルでフォーカス方向とチルト方向駆動ができる。したがって、ボビンの他の両側面に支持部材を容易に設置でき、支持部材の個数を減らすことができ、これにより不良率を減らして３軸駆動及び４軸駆動を安全に具現できる。
【発明を実施するための最良の形態】
【００１７】
以下、添付した図面を参照して本発明の望ましい実施例について詳細に説明する。
本発明による光ピックアップアクチュエータの駆動方法を説明する前に、本発明が適用される光ピックアップアクチュエータについて説明する。図４及び図５を参照すれば、光ピックアップアクチュエータはベース１０、前記ベース１０上の一側に設けられたホルダ１２、対物レンズ１４が搭載されたボビン１５、前記ボビン１５をフォーカス方向、チルト方向及びトラック方向に各々駆動させるための磁気駆動部を含む。
【００１８】
前記磁気駆動部は前記ボビン１５の両側面１５ａに設けられた少なくとも一つのチルト兼用フォーカスコイルと、トラックコイル及び前記チルト兼用フォーカスコイルとトラックコイルとに対向して設けられた磁石２２とを具備する。例えば、前記少なくとも一つのチルト兼用フォーカスコイルは第１、第２、第３及び第４チルト兼用フォーカスコイルＦＣ１、ＦＣ２、ＦＣ３、ＦＣ４で構成され、トラックコイルは第１及び第２トラックコイルＴＣ１、ＴＣ２で前記ボビン１５の両側面に各々一本ずつ構成される。ここで、前記第１ないし第４チルト兼用フォーカスコイルＦＣ１、ＦＣ２、ＦＣ３、ＦＣ４及びトラックコイルＴＣ１、ＴＣ２はいずれも前記ボビン１５の両側面１５ａに配置され、コイルが配置されていないボビン１５の他の両側面１５ｂには前記第１ないし第４チルト兼用フォーカスコイルＦＣ１、ＦＣ２、ＦＣ３、ＦＣ４及びトラックコイルＴＣ１、ＴＣ２に電流を印加しつつボビン１５を移動可能に支持するための支持部材３０が配置される。前記支持部材３０はワイヤまたは板バネでありうる。
前記構成では前記第１ないし第４チルト兼用フォーカスコイルＦＣ１、ＦＣ２、ＦＣ３、ＦＣ４がフォーカス方向駆動とチルト方向駆動とを共に制御するようになっている。
【００１９】
一方、前記磁石２２は、例えば図６に示されたように４分割されている。すなわち、磁石２２全体が４つに分かれてＮ極とＳ極とが適切に分配されている。便宜上４分割された磁石を第１分極２２ａ、第２分極２２ｂ、第３分極２２ｃ及び第４分極２２ｄに分け、第１分極２２ａはＮ極、第２分極２２ｂはＳ極、第３分極２２ｃはＮ極、第４分極２２ｄはＳ極とする。そして、前記磁石２２の各分極２２ａ、２２ｂ、２２ｃ、２２ｄに対して前記フォーカスコイルＦＣ１、ＦＣ２、ＦＣ３、ＦＣ４、トラックコイルＴＣ１、ＴＣ２が各々対応して配置される。
【００２０】
例えば、前記トラックコイルＴＣ１、ＴＣ２は前記第１分極２２ａと第２分極２２ｂの両側にわたって対向して配置される。そして、前記チルト兼用フォーカスコイルＦＣ１、ＦＣ２、ＦＣ３、ＦＣ４は前記トラックコイルＴＣ１、ＴＣ２が配置されたボビン１５の両側面に共に一対ずつ各々備わるが、前記第１分極２２ａと第４分極２２ｄとにわたって対向して配置されるとともに前記第２分極２２ｂと第３分極２２ｃとにわたって対向して配置される。
【００２１】
これと異なって、前記磁石２２は２分割の面分極磁石であってもよい。例えば２分割の面分極磁石２つを一セットとして前記チルト兼用フォーカスコイルＦＣ１、ＦＣ２、ＦＣ３、ＦＣ４及びトラックコイルＴＣ１、ＴＣ２に対向するように所定間隔離隔させて配置できる。
【００２２】
ここで、前記トラック兼用フォーカスコイルＦＣ１、ＦＣ２、ＦＣ３、ＦＣ４及びトラックコイルＴＣ１、ＴＣ２は巻線コイルでありうる。または、図７に示されたようにチルト兼用フォーカスコイル及びトラックコイルのうち少なくともいずれか一つは微細パターンコイル２０でありうる。微細パターンコイル２０はフィルム上にコイル形態をパターニングして製造されたものであって、狭い空間に非常に有用に設置できる。
【００２３】
前記磁石２２は分割面積が対称に４分割されることもあるが、前記トラックコイルＴＣ１、ＴＣ２の有効面積を確保するためにトラックコイルに対応する第１分極２２ａ及び第２分極２２ｂを第３分極２２ｃ及び第４分極２２ｄより広い面積で分割させうる。言い換えれば、前記チルト兼用フォーカスコイルＦＣ１、ＦＣ２、ＦＣ３、ＦＣ４は前記第１ないし第４分極２２ａ、２２ｂ、２２ｃ、２２ｄを全部使用する一方、前記トラックコイルＴＣ１、ＴＣ２は第１分極２２ａ及び第２分極２２ｂだけを使用するのでチルト兼用フォーカスコイルＦＣ１、ＦＣ２、ＦＣ３、ＦＣ４との均衡的な配分のためにそれぞれの分割面積を調節できる。
【００２４】
また、前記磁石２２の各分極２２ａ、２２ｂ、２２ｃ、２２ｄの間に中性区域２３をおくことができる。この中性区域２３は極性が互いに反対の境界地域で磁力線が相殺されることによって全体的な磁気力が弱まることを防止するために各分極の境界地点に設けられる。
そして、前記磁石２２により発生する磁気力線を所望の方向へ誘導するために外側ヨーク２５と内側ヨーク２７とをさらに具備できる。
【００２５】
次に、本発明の望ましい実施例による光ピックアップアクチュエータ駆動方法について説明する。
本発明の一実施例による光ピックアップアクチュエータ駆動方法は、少なくとも一つのチルト兼用フォーカスコイルＦＣ１、ＦＣ２、ＦＣ３、ＦＣ４及びトラックコイルＴＣ１、ＴＣ２を前記ボビン１５の両側面１５ａに配置し、前記少なくとも一つのチルト兼用フォーカスコイルを少なくとも二セットに分けて各々第１及び第２入力信号を入力する段階を含む。
【００２６】
例えば、図８に示されたように、前記第１入力信号と第２入力信号とが同じ方向のフォーカス信号である時、前記ボビン１５はフォーカス方向Ｆに運動する。より具体的に調べれば、前記第１及び第２チルト兼用フォーカスコイルＦＣ１、ＦＣ２を第１セットコイルとし、前記第３及び第４チルト兼用フォーカスコイルＦＣ３、ＦＣ４を第２セットコイルとする場合に、前記第１セットコイルと第２セットコイルにいずれも同じ信号が印加されれば、前記磁石２２との相互作用により前記第１ないし第４チルト兼用フォーカスコイルＦＣ１、ＦＣ２、ＦＣ３、ＦＣ４が上方または下方の同じ方向に力を受ける。したがって、前記ボビン１５のフォーカス方向Ｆ駆動を制御できる。
【００２７】
一方、前記第１及び第２チルト兼用フォーカスコイルＦＣ１、ＦＣ２と第３及び第４チルト兼用フォーカスコイルＦＣ３、ＦＣ４とに各々相異なる第１及び第２入力信号が入力されれば、前記チルト兼用フォーカスコイルが左右側から各々上方または下方の反対方向に力を受ける。この時、図９に示されたように、第１入力信号を前記第１及び第２チルト兼用フォーカスコイルＦＣ１、ＦＣ２に入力し、図１２に示されたように、前記第１入力信号と位相が異なる第２入力信号を前記第３及び第４チルト兼用フォーカスコイルＦＣ３、ＦＣ４に入力する。すると、前記ボビン１５のチルトラジアル方向Ｔｉｒの駆動を制御できる。
【００２８】
このように、前記第１及び第２チルト兼用フォーカスコイルＦＣ１、ＦＣ２を第１セットとし、前記第３及び第４チルト兼用フォーカスコイルＦＣ３、ＦＣ４を第２セットとする場合に、フォーカス方向Ｆ、トラック方向Ｔ及びラジアルチルト方向Ｔｉｒの３軸駆動が可能である。この場合の回路構成図が図１４に示されている。
【００２９】
これと異なって、前記第１ないし第４チルト兼用フォーカスコイルＦＣ１、ＦＣ２、ＦＣ３、ＦＣ４のうち第１及び第３チルト兼用フォーカスコイルＦＣ１、ＦＣ３を第１セットコイルとし、第２及び第４チルト兼用フォーカスコイルＦＣ２、ＦＣ４を第２セットコイルとすることがある。この時、前記第１セットコイルと第２セットコイルとに各々相異なる位相の第１及び第２入力信号を入力すればタンジェンシャルチルト方向Ｔｉｔの駆動ができる。
【００３０】
この他に、前記のようにフォーカス方向駆動とチルト方向駆動とを各々独立的に制御する方法以外に同時に制御する方法がある。フォーカス方向駆動のための信号にチルト方向駆動のための第１入力信号及び第２入力信号を合せた信号を入力することである。すなわち、フォーカス駆動信号（図８）にチルト駆動のための第１入力信号（図９）を合せた信号（図１０）を第１セットコイルに入力し、フォーカス駆動信号（図１１）にチルト駆動のための第２入力信号（図１２）を合せた信号（図１３）を第２セットコイルに入力する。それにより、フォーカス方向Ｆ及びチルトラジアル方向Ｔｉｒまたはチルトタンジェンシャル方向Ｔｉｔの駆動を同時に制御できる。
【００３１】
ここで、前記第１セットコイルは第１及び第２チルト兼用フォーカスコイルＦＣ１、ＦＣ２、第２セットコイルは第３及び第４チルト兼用フォーカスコイルＦＣ３、ＦＣ４で構成される。こうすれば、フォーカス方向Ｆの駆動とラジアルチルト方向Ｔｉｒの駆動とを共に制御できる。または、前記第１セットコイルは第１及び第３チルト兼用フォーカスコイルＦＣ１、ＦＣ３、第２セットコイルは第２及び第４チルト兼用フォーカスコイルＦＣ２、ＦＣ４で構成される。こうすれば、フォーカス方向Ｆの駆動とタンジェンシャルチルト方向Ｔｉｔの駆動とを共に制御できる。
【００３２】
また他の実施例として、前記第１ないし第４チルト兼用フォーカスコイルＦＣ１、ＦＣ２、ＦＣ３、ＦＣ４に各々独立的に信号を印加する方法がある。前記第１ないし第４チルト兼用フォーカスコイルにフォーカス信号（図８、図１１）が同一に印加されれば、前記ボビン１５が上下方向に運動することによってフォーカス方向Ｆに駆動される。
【００３３】
これに対し、前記第１ないし第４チルト兼用フォーカスコイルＦＣ１、ＦＣ２、ＦＣ３、ＦＣ４に各々入力信号を選択的に入力することによってチルト半径方向Ｔｉｒ及びチルトタンジェンシャル方向Ｔｉｔの駆動を制御できる。例えば、前記第１ないし第４チルト兼用フォーカスコイルのうち第１及び第２チルト兼用フォーカスコイルＦＣ１、ＦＣ２を第１セットとし、第３及び第４チルト兼用フォーカスコイルＦＣ３、ＦＣ４を第２セットとすることがある。または、選択的に前記第１及び第３チルト兼用フォーカスコイルＦＣ１、ＦＣ３を第１セットとし、第２及び第４チルト兼用フォーカスコイルＦＣ２、ＦＣ４を第２セットとすることがある。
【００３４】
ここで、前記第１セットに所定の第１入力信号（図９）を入力し、前記第２セットに前記第１入力信号と位相が異なる第２入力信号（図１２）を入力することによってチルトラジアル方向Ｔｉｒ及びチルトタンジェンシャル方向Ｔｉｔの駆動を選択的に制御できる。
また、前記フォーカス信号に前記チルト用第１入力信号または第２入力信号を合せた信号を前記第１ないし第４チルト兼用フォーカスコイルＦＣ１、ＦＣ２、ＦＣ３、ＦＣ４に選択的に入力できる。こうしてフォーカス方向駆動とラジアルチルト方向またはタンジェンシャルチルト方向駆動とを共に制御できる。
【００３５】
一方、前記トラックコイルＴＣ１、ＴＣ２は第１分極２２ａ及び第２分極２２ｂとの相互作用により前記ボビン１５をトラック方向Ｔに運動させる。こうしてフォーカス方向Ｆ、トラック方向Ｔ、ラジアルチルト方向Ｔｉｒ及びタンジェンシャル方向Ｔｉｔの４軸駆動が可能である。
【００３６】
一方、前記磁石の分極配置とコイルの配置に関する前記説明は一例だけであって、発明の要旨を変更しない範囲内で色々な変形が可能であることはもちろんである。
【図面の簡単な説明】
【００３７】
【図１】従来の光ピックアップアクチュエータを概略的に示した図面である。
【図２】従来の光ピックアップアクチュエータの磁石とコイルとの関係を概略的に示した図面である。
【図３】従来の光ピックアップアクチュエータの磁石とコイルとの関係を概略的に示した図面である。
【図４】本発明の一実施例による光ピックアップアクチュエータの分解斜視図である。
【図５】本発明による光ピックアップアクチュエータの平面図である。
【図６】本発明による光ピックアップアクチュエータで磁石とコイルとの配置関係を概略的に示した図面である。
【図７】本発明による光ピックアップアクチュエータで磁石と微細パターンコイルとの間に作用する力関係を図式的に示した図面である。
【図８】本発明の一実施例による光ピックアップアクチュエータの駆動方法を具現するための入力信号の波形を示した図面である。
【図９】本発明の一実施例による光ピックアップアクチュエータの駆動方法を具現するための入力信号の波形を示した図面である。
【図１０】本発明の一実施例による光ピックアップアクチュエータの駆動方法を具現するための入力信号の波形を示した図面である。
【図１１】本発明の一実施例による光ピックアップアクチュエータの駆動方法を具現するための入力信号の波形を示した図面である。
【図１２】本発明の一実施例による光ピックアップアクチュエータの駆動方法を具現するための入力信号の波形を示した図面である。
【図１３】本発明の一実施例による光ピックアップアクチュエータの駆動方法を具現するための入力信号の波形を示した図面である。
【図１４】本発明による光ピックアップアクチュエータの駆動方法を具現するための回路図である。
【符号の説明】
【００３８】
１０    ベース
１２    ホルダ
１５    ボビン
２２    磁石
３０    支持部材
ＦＣ１・ＦＣ２・ＦＣ３・ＦＣ４    チルト兼用フォーカスコイル
ＴＣ１・ＴＣ２    トラックコイル
【図１】
2005285330.tif 000003
【図２】
2005285330.tif 000004
【図３】
2005285330.tif 000005
【図４】
2005285330.tif 000006
【図５】
2005285330.tif 000007
【図６】
2005285330.tif 000008
【図７】
2005285330.tif 000009
【図８】
2005285330.tif 000010
【図９】
2005285330.tif 000011
【図１０】
2005285330.tif 000012
【図１１】
2005285330.tif 000013
【図１２】
2005285330.tif 000014
【図１３】
2005285330.tif 000015
【図１４】
2005285330.tif 000016